【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
複数のセグメントに分割される少なくとも１つの音声情報列を記録した記録媒体の再生方法であって、
前記音声情報列の各セグメントを再生し、
次のセグメントの再生の前に、所定の場所に記録された、再生中のセグメントの終了を知らせるための所定の音声情報を再生すること、を特徴とする記録媒体の再生方法。
【請求項２】
前記所定の場所は、前記記録媒体内の所定の領域であること、を特徴とする請求項１に記載の記録媒体の再生方法。
【請求項３】
前記所定の場所は、前記記録媒体を再生する再生装置が備えている所定の記録部であること、を特徴とする請求項１に記載の記録媒体の再生方法。
【請求項４】
前記所定の音声情報は、アラーム音の音声情報であること、を特徴とする請求項１から請求項３のいずれかに記載の記録媒体の再生方法。
【請求項５】
前記所定の音声情報は、ブランクの音声情報であること、を特徴とする請求項１から請求項３のいずれかに記載の記録媒体の再生方法。
【請求項６】
複数のセグメントに分割される少なくとも１つの音声情報列を記録した記録媒体の再生方法であって、
前記音声情報列の各セグメントを再生し、
次のセグメントの再生の前に、再生中のセグメントの終了が近いことを知らせるための所定の画像情報を再生すること、を特徴とする記録媒体の再生方法。
【請求項７】
前記所定の画像情報は、再生中のセグメントの残りの再生時間が所定時間以下になると表示されること、を特徴とする請求項６に記載の記録媒体の再生方法。
【請求項８】
前記記録媒体が、少なくとも、第１の前記音声情報列と、各セグメントが前記第１の音声情報列の各セグメントに対応して記録されている第２の前記音声情報列と、を有している場合、
次のセグメントの再生の前に前記音声情報列のセグメントの再生を切替える操作を行うと、再生されていたセグメントに対応した、他の前記音声情報列に記録されているセグメントを再生すること、を特徴とする請求項１から請求項７のいずれかに記載の記録媒体の再生方法。
【請求項９】
１つの前記セグメントの再生が開始される度に、前記所定の画像情報による表示を消すこと、を特徴とする請求項７または請求項８のいずれかに記載の記録媒体の再生方法。
【請求項１０】
前記所定の画像情報は、前記セグメントの残りの再生時間に応じて変化するカウンタであること、を特徴とする請求項７から請求項９のいずれかに記載の記録媒体の再生方法。
【請求項１１】
前記所定の画像情報は、前記セグメントの残りの再生時間に応じて、発光手段の点灯・点滅を変化させる情報であること、を特徴とする請求項７から請求項９のいずれかに記載の記録媒体の再生方法。
【請求項１２】
複数のセグメントに分割される少なくとも１つの音声情報列を記録した記録媒体であって、
次のセグメントの再生の前に再生中のセグメントの終了を知らせるための所定の音声情報が記録されている所定の領域を有すること、を特徴とする記録媒体。
【請求項１３】
前記所定の音声情報は、アラーム音の音声情報であること、を特徴とする請求項１２に記載の記録媒体。
【請求項１４】
前記所定の音声情報は、ブランクの音声情報であること、を特徴とする請求項１２に記載の記録媒体。
【請求項１５】
複数のセグメントに分割される少なくとも１つの音声情報列を記録した記録媒体を再生する再生装置であって、
前記音声情報列の各セグメントが記録され、これを再生する第１の再生手段と、
前記第１の再生手段により実行される次のセグメントの再生の前に、所定の場所に記録された、再生中のセグメントの終了を知らせるための所定の音声情報を再生する第２の再生手段と、を備えること、を特徴とする再生装置。
【請求項１６】
再生すべき前記音声情報列を切替える切替え手段と、
前記切替え手段によって切替えられた前記音声情報列における再生の終了位置を記憶する位置記憶手段と、
前記位置記憶手段に記憶された位置と、前記切替えられた前記音声情報列と、に基づいて、再生するセグメントを決定する制御手段と、をさらに備えること、を特徴とする請求項１５に記載の再生装置。
【請求項１７】
前記制御手段は、次のセグメントの再生の前に前記音声情報列のセグメントの再生を切替える操作を行うと、再生されていたセグメントに対応した、他の前記音声情報列に記録されているセグメントを再生すること、を特徴とする請求項１６に記載の再生装置。
【請求項１８】
前記所定の音声情報は、アラーム音の音声情報であること、を特徴とする請求項１５から請求項１７のいずれかに記載の再生装置。
【請求項１９】
前記所定の音声情報は、ブランクの音声情報であること、を特徴とする請求項１５から請求項１７のいずれかに記載の再生装置。
【請求項２０】
複数のセグメントに分割される少なくとも１つの音声情報列を記録した記録媒体を再生する再生装置であって、
再生中のセグメントの終了が近いことを知らせるための所定の画像情報が記録されている所定の記録部と、
前記所定の画像情報を表示する表示手段と、
次のセグメントの再生の前に前記所定の画像情報を前記表示手段に表示させる制御手段と、を備えること、を特徴とする再生装置。
【請求項２１】
前記所定の画像情報は、再生中のセグメントの残りの再生時間が所定時間以下になると表示されること、を特徴とする請求項２０に記載の再生装置。
【請求項２２】
前記制御手段は、１つの前記セグメントの再生が開始される度に、前記所定の画像情報を前記表示手段から消すこと、を特徴とする請求項２０または請求項２１のいずれかに記載の再生装置。
【請求項２３】
前記所定の画像情報は、前記セグメントの残りの再生時間応じて変化するカウンタであること、を特徴とする請求項２０から請求項２２のいずれかに記載の再生装置。
【請求項２４】
前記所定の画像情報に応じて点灯・点滅する発光手段をさらに備えること、を特徴とする請求項２０から請求項２２のいずれかに記載の再生装置。
【手続補正２】
【補正対象書類名】明細書
【補正対象項目名】００１１
【補正方法】変更
【補正の内容】
【００１１】
【課題を解決するための手段】
上記の課題を解決するため、本発明の一態様に係る記録媒体の再生方法は、複数のセグメントに分割される少なくとも１つの音声情報列を記録した記録媒体に用いられる再生方法であって、音声情報列の各セグメントを再生し、次のセグメントの再生の前に、所定の場所に記録された、再生中のセグメントの終了を知らせるための所定の音声情報を再生する。
【手続補正３】
【補正対象書類名】明細書
【補正対象項目名】００１４
【補正方法】変更
【補正の内容】
【００１４】
また、上記記録媒体の再生方法において、記録媒体が、少なくとも、第１の音声情報列と、各セグメントが第１の音声情報列の各セグメントに対応して記録されている第２の音声情報列と、を有している場合、次のセグメントの再生の前に音声情報列のセグメントの再生を切替える操作を行うと、再生されていたセグメントに対応した、他の音声情報列に記録されているセグメントを再生する。
【手続補正４】
【補正対象書類名】明細書
【補正対象項目名】００１５
【補正方法】変更
【補正の内容】
【００１５】
また、本発明の他の態様の記録媒体の再生方法は、複数のセグメントに分割される少なくとも１つの音声情報列を記録した記録媒体の再生方法であって、音声情報列の各セグメントを再生し、次のセグメントの再生の前に、再生中のセグメントの終了が近いことを知らせるための所定の画像情報を再生する。なお、所定の画像情報は、再生中のセグメントの残りの再生時間が所定時間以下になると表示され得る。
【手続補正５】
【補正対象書類名】明細書
【補正対象項目名】００１６
【補正方法】変更
【補正の内容】
【００１６】
また、上記記録媒体の再生方法は、１つのセグメントの再生が開始される度に、所定の画像情報による表示を消す。
【手続補正６】
【補正対象書類名】明細書
【補正対象項目名】００１７
【補正方法】変更
【補正の内容】
【００１７】
また、上記記録媒体の再生方法において、所定の画像情報は、セグメントの残りの再生時間に応じて変化するカウンタであったり、セグメントの残りの再生時間に応じて、発光手段の点灯・点滅を変化させる情報であったりする。
【手続補正７】
【補正対象書類名】明細書
【補正対象項目名】００１８
【補正方法】変更
【補正の内容】
【００１８】
また、上記の課題を解決するため、本発明の一態様に係る記録媒体は、複数のセグメントに分割される少なくとも１つの音声情報列を記録した記録媒体であって、次のセグメントの再生の前に再生中のセグメントの終了を知らせるための所定の音声情報が記録されている所定の領域を１つ有している。
【手続補正８】
【補正対象書類名】明細書
【補正対象項目名】００２０
【補正方法】変更
【補正の内容】
【００２０】
また、上記の課題を解決するため、本発明の一態様に係る再生装置は、複数のセグメントに分割される少なくとも１つの音声情報列を記録した記録媒体を再生する再生装置であって、音声情報列の各セグメントが記録され、これを再生する第１の再生手段と、第１の再生手段により実行される次のセグメントの再生の前に、所定の場所に記録された、再生中のセグメントの終了を知らせるための所定の音声情報を再生する第２の再生手段を備えている。
【手続補正９】
【補正対象書類名】明細書
【補正対象項目名】００２１
【補正方法】変更
【補正の内容】
【００２１】
また、上記再生装置は、再生すべき音声情報列を切替える切替え手段と、切替え手段によって切替えられた音声情報列における再生の終了位置を記憶する位置記憶手段と、位置記憶手段に記憶された位置と切替えられた音声情報列とに基づいて、再生するセグメントを決定する制御手段とをさらに備えている。
【手続補正１０】
【補正対象書類名】明細書
【補正対象項目名】００２２
【補正方法】変更
【補正の内容】
【００２２】
また、上記再生装置において、制御手段は、次のセグメントの再生の前に音声情報列のセグメントの再生を切替える操作を行うと、再生されていたセグメントに対応した、他の音声情報列に記録されているセグメントを再生する。
【手続補正１１】
【補正対象書類名】明細書
【補正対象項目名】００２４
【補正方法】変更
【補正の内容】
【００２４】
また、本発明の他の態様の再生装置は、複数のセグメントに分割される少なくとも１つの音声情報列を記録した記録媒体を再生する再生装置であって、再生中のセグメントの終了が近いことを知らせるための所定の画像情報が記録されている所定の記録部と、所定の画像情報を表示する表示手段と、再生中の音声情報の残りの再生時間が所定時間以下になると、次のセグメントの再生の前に所定の画像情報を表示手段に表示させる制御手段と、を備えている。なお、所定の画像情報は、再生中のセグメントの残りの再生時間が所定時間以下になると表示され得る。
【手続補正１２】
【補正対象書類名】明細書
【補正対象項目名】００２５
【補正方法】変更
【補正の内容】
【００２５】
また、上記再生装置において、制御手段は、１つのセグメントの再生が開始される度に、所定の画像情報を表示手段から消す。
【手続補正１３】
【補正対象書類名】明細書
【補正対象項目名】００２６
【補正方法】変更
【補正の内容】
【００２６】
また、上記再生装置において、所定の画像情報は、セグメントの残りの再生時間応じて変化するカウンタであったり、セグメントの残りの再生時間に応じて、発光手段の点灯・点滅を変化させる情報であったりする。